【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
所定の付与材を記録媒体に付与する付与手段を備え、前記所定の付与材の記録媒体上の付与位置を調整するために利用される第１のパッチを少なくとも含む第１の調整パターンを前記所定の付与材を用いて前記付与手段に記録媒体へ形成させる制御手段と、記録媒体に画像を記録する際の前記所定の付与材の付与位置の調整量を決定する決定手段と、を備え、複数種類の記録媒体に画像の記録が可能である記録装置であって、
前記複数種類の記録媒体について、前記制御手段が前記第１の調整パターンを形成させることが可能であり、
記録媒体上での、前記第１の調整パターンが形成された領域と、前記記録媒体上の前記第１の調整パターンの周囲の領域と、の平滑性の違いに関わる情報を取得する取得手段をさらに備え、
前記決定手段は、前記取得手段によって取得された情報に応じて、前記情報が示す平滑性の違いが所定の程度より大きい場合には、前記第１の調整パターンに基づく調整量を前記所定の付与材による付与位置の調整量に決定し、前記情報が示す平滑性の違いが所定の程度より大きくない場合には、前記第１の調整パターンに基づく調整量を前記所定の付与材の付与位置の調整量に決定しないようにすることを特徴とする記録装置。
【請求項２】
前記付与手段は、前記所定の付与材と別の種類の第１の記録材を記録媒体に付与し、前記制御手段は、前記付与手段に前記第１の記録材による下地を前記記録媒体上に形成させた後に、前記下地上に前記所定の付与材による前記第１のパッチを形成させ、前記記録媒体上にて、前記第１の記録材は前記所定の付与材よりも前記記録媒体との平滑性の違いが高く、かつ、前記取得手段が取得する前記平滑性の違いの程度に関わる情報は、前記記録媒体上での、前記第１の調整パターンの領域と前記第１の調整パターンの周囲の前記下地の領域との平滑性の違いに関わる情報であることを特徴とする請求項１に記載の記録装置。
【請求項３】
前記制御手段は、前記付与手段に前記所定の付与材とは色が異なる第２の記録材を用いて前記第２の記録材による記録媒体上の付与位置の調整量を決定するための第２の調整パターンを形成させ、
前記決定手段は、前記第２の記録材のための前記第２の調整パターンに基づく前記調整量を決定し、前記情報が示す平滑性の違いが前記所定の程度より大きくない場合には、前記所定の付与材の付与位置の調整量を、前記決定手段により決定された前記第２の調整パターンに基づく前記別の付与材のための調整量で代用することを決定することを特徴とする請求項１または２に記載の記録装置。
【請求項４】
前記決定手段は、前記情報が示す平滑性の違いが前記所定の程度より大きくない場合には、以前に前記決定手段によって前記所定の記録材による記録位置の調整量として決定された調整量を前記所定の付与材の付与位置の調整量に決定することを特徴とする請求項１乃至３のいずれか１項に記載の記録装置。
【請求項５】
前記決定手段は、前記情報が示す平滑性の違いが前記所定の程度より大きくない場合において、以前に前記所定の付与材の付与位置の調整が行われていない場合には、前記所定の付与材の付与位置の調整量を、前記決定手段により決定された前記別の付与材のための調整量で代用することを決定し、前記情報が示す平滑性の違いが所定の程度より大きくない場合において、以前に前記所定の付与材の付与位置の調整が行われている場合には、前記所定の付与材の付与位置の調整量を変更しないことを決定することを特徴とする請求項３に記載の記録装置。
【請求項６】
前記制御手段は、前記付与手段に前記所定の付与材とは色が異なる第２の記録材を用いて前記第２の記録材による記録媒体上の付与位置の調整量を決定するための第２の調整パターンを形成させ、
前記決定手段は、前記情報が示す平滑性の違いが前記所定の程度より大きい場合、および前記情報が示す平滑性の違いが前記所定の程度より大きくない場合の両方において、前記第２の記録材のための前記第２の調整パターンに基づく前記調整量を決定し、かつ、前記決定手段は、前記情報が示す平滑性の違いが前記所定の程度より大きくない場合であって以前に前記所定の付与材の付与位置の調整が行われていない場合には、前記所定の付与材の付与位置の調整量を、前記決定手段により決定された前記別の付与材のための調整量で代用することを決定し、前記情報が示す平滑性の違いが前記所定の程度より大きくない場合であって以前に前記所定の付与材の付与位置の調整が行われている場合には、前記所定の付与材の付与位置の調整量を変更しないことを決定することを特徴とする請求項３に記載の記録装置。
【請求項７】
前記第１の調整パターンを読み取るための読み取り手段を有し、前記取得手段は前記読み取り手段による読み取り結果に基づく前記平滑性の違いの程度に関わる情報を取得し、かつ、前記決定手段は、前記読み取り手段による読み取り結果に基づいて前記所定の付与材についての前記調整量を決定することを特徴とする請求項１乃至６のいずれか１項に記載の記録装置。
【請求項８】
前記読み取り手段は、記録媒体へ照射した光の反射を測定することにより前記第１の調整パターンを読み取り、前記決定手段は、前記読み取り手段による前記第１の調整パターンの読み取り結果に基づいて、前記所定の付与材について、前記第１の調整パターンのパッチのエッジの位置を検出し、検出したエッジの位置の情報を利用して前記調整量を決定し、かつ、前記エッジの位置を検出するために利用される前記反射された光の強さの閾値を、前記読み取り手段による前記第１の調整パターンの読み取り結果に基づいて決定することを特徴とする請求項７に記載の記録装置。
【請求項９】
前記付与手段は液体を吐出して記録媒体に付与する手段であり、前記所定の付与材は透明な液体であることを特徴とする請求項１乃至８のいずれか１項に記載の記録装置。
【請求項１０】
前記付与手段は有色のインクを吐出して記録媒体に付与する手段であり、前記所定の付与材は、前記付与手段によって有色インクで記録媒体に記録された画像をコートするための液体であることを特徴とする請求項１乃至９のいずれか１項に記載の記録装置。
【請求項１１】
所定の付与材を記録媒体に付与する付与手段を備え、前記所定の付与材の記録媒体上の付与位置を調整するための第１のパッチを含んだ第１の調整パターンを前記所定の付与材を用いて前記付与手段に記録媒体へ形成させる制御手段と、記録媒体に記録された前記第１の調整パターンを読み取るための読み取り手段と、前記読み取り手段による前記第１の調整パターンの読み取り結果に基づいて記録媒体に画像を記録する際の前記所定の付与材の付与位置の調整量を決定する決定手段と、を備え、複数種類の記録媒体に画像の記録が可能である記録装置であって、
前記複数種類の記録媒体について、前記制御手段が前記第１の調整パターンを形成させることが可能であり、記録媒体上での、前記第１の調整パターンが形成された領域と、前記記録媒体上の前記第１の調整パターンの周囲の領域と、の平滑性の違いに関わる情報を取得する取得手段をさらに備え、前記決定手段は、前記取得手段によって取得された情報に基づき、前記情報が示す平滑性の違いが所定の程度より大きい場合には、前記パターンの検出の閾値を前記情報に基づいて決定し、前記第１の調整パターンおよび前記閾値に基づく調整量を前記所定の付与材による付与位置の調整量に決定することを特徴とする記録装置。
【請求項１２】
第１の色の顔料インクと顔料インクで記録媒体上に形成される画像の光沢感の調整に用いられる透明な液体を記録媒体に付与する付与手段を備え、前記透明な液体の記録媒体上の付与位置を調整するための第１のパッチを含んだ第１の調整パターンを前記所定の付与材を用いて前記付与手段に記録媒体へ形成させる制御手段と、前記読み取り手段による前記第１の調整パターンの読み取り結果に基づいて記録媒体に画像を記録する際の前記所定の付与材の付与位置の調整量を決定する決定手段と、を備え、複数種類の記録媒体に画像の記録が可能である記録装置であって、
前記制御手段は、前記付与手段に前記第１の顔料インクによる下地を前記記録媒体上に形成させた後に、前記下地上に前記所定の付与材による前記第１の調整パターンを形成させ、
前記読み取り手段は、前記下地、前記第１の調整パターンに光が照射された場合のそれぞれからの正反射光の強度に基づいて前記所定の付与材の付与位置の調整量を決定することを特徴とする記録装置。
【請求項１３】
所定の付与材を記録媒体に付与する付与手段によって、前記所定の付与材の記録媒体上の付与位置を調整するための第１のパッチを含んだ第１の調整パターンを前記所定の付与材を用いて前記付与手段に形成するパターン形成工程と、記録媒体に画像を記録する際の前記所定の付与材の付与位置の調整量を決定する決定工程と、を有し、
記録媒体上での、前記第１の調整パターンが形成された領域と、前記記録媒体上の前記第１の調整パターンの周囲の領域と、の平滑性の違いに関わる情報を取得する取得工程をさらに備え、
前記決定工程において、前記取得工程によって取得された情報に応じて、前記情報が示す平滑性の違いが所定の程度より大きい場合には、前記第１の調整パターンに基づく調整量を前記所定の付与材による付与位置の調整量に決定し、前記情報が示す平滑性の違いが所定の程度より大きくない場合には、前記第１の調整パターンに基づく調整量を前記所定の付与材の付与位置の調整量に決定しないようにすることを特徴とする記録方法。